(57)【要約】【課題】情報に対する注意喚起機能が高く、着脱が容易で外れにくい付箋を提供する。【解決手段】透明なシート２の裏面に接着剤を塗布した接着部３を設け、貼付対象物に記載された情報に対する注意を喚起するための丸枠６を、接着部３によって区画付けられた接着領域Ｓと非接着領域Ｈの境界に設け、更に、その情報への注意を促すためのメッセージ８を表示する。硬質な合成樹脂製のシートを用いることによって、書類の栞として利用することもできる。【選択図】図２
2010173117.tif 000002
【特許請求の範囲】
【請求項１】
貼付対象物に記載された情報の上に貼付される付箋（１）であって、透明なシート（２）の裏面に接着剤を塗布した接着部（３）を設け、前記情報に対する注意を喚起するための注意喚起表示（６，８，１０，１２）を設けたことを特徴とする付箋。
【請求項２】
前記注意喚起表示（６，１２）は、前記接着部（３）によって区画付けられた接着領域（Ｓ）に設けられたものであることを特徴とする請求項１に記載の付箋。
【請求項３】
前記注意喚起表示（６）は、前記接着部（３）によって区画付けられた接着領域（Ｓ）と、それ以外の非接着領域（Ｈ）との境界を示すものであることを特徴とする請求項１又は請求項２に記載の付箋。
【請求項４】
前記シート（２）は、硬質な合成樹脂製の部材からなることを特徴とする請求項１〜請求項３の何れか１つの請求項に記載の付箋。
【請求項５】
前記非接着領域（Ｈ）は、前記接着領域（Ｓ）から突出した領域であることを特徴とする請求項１〜請求項４の何れか１つの請求項に記載の付箋。
【発明の詳細な説明】
【技術分野】
【０００１】
本発明は、書類等に貼付される付箋に関し、特に、情報に対する注意喚起機能が高く、着脱が容易で外れにくい付箋に関する。
【背景技術】
【０００２】
従来、書類等に付される付箋は、シートの裏面の一端部に接着部を設けて構成され、複数のシートを積層した状態、又は接着部に剥離紙を貼り付けた状態で提供されている。
このような付箋において、特許文献１に示すように、一端部から他端部に向けて接着力を小さくすることで、シートの接着領域が使用時に湾曲しないようにする技術、特許文献２に示すように、シートをキャラクタ等の顔の外形形状とし、耳に相当する突出部を残した領域に接着剤を塗布する技術等が提案されている。
【先行技術文献】
【特許文献】
【０００３】
【特許文献１】特開２００８−１１９９４８号公報
【特許文献２】特開２００５−３０５７５４号公報
【発明の概要】
【発明が解決しようとする課題】
【０００４】
しかしながら、上記の付箋は、貼付対象物に記載された情報に対して、特段の注意喚起機能を有するものでなく、付箋が貼付された場所に記載された情報が隠れてしまうため、注意喚起機能が阻害されることもある。また、貼付対象物の情報が隠れないように、貼付位置を考慮する必要がある上、書類の隅に貼付した場合に外れ落ちてしまうこともあった。
そこで、本発明は、情報に対する注意喚起機能が高く、着脱が容易で外れにくい付箋の提供を目的とする。
【課題を解決するための手段】
【０００５】
上記課題を解決するために、本発明は、貼付対象物に記載された情報の上に貼付される付箋であって、透明なシートの裏面に接着剤を塗布した接着部を設け、前記情報に対する注意を喚起するための注意喚起表示を設けたことを特徴とするものである。
この場合、前記注意喚起表示は、前記接着部によって区画付けられた接着領域に設けられたものであってもよい。
また、前記注意喚起表示は、前記接着部によって区画付けられた接着領域と、それ以外の非接着領域との境界を示すものであってもよい。
また、前記シートは、硬質な合成樹脂製の部材からなるものであってもよい。
また、前記非接着領域は、前記接着領域から突出した領域であってもよい。
【発明の効果】
【０００６】
請求項１に係る付箋は、透明なシートによって構成されているので、必要な情報の上又は近傍に貼付することで、そのシートに設けられた注意喚起表示に喚起されて、透明なシートを介し、当該情報を意識的に視認せしめることができる。
この際、貼付対象物に記載された情報が、シートの下で隠れてしまうことがない上に、必要な情報の上にシートを接着することができるので、その情報と注意喚起表示との関連性を高めた状態で視認させることができる。
また、必要な情報の上又は近傍にシートを貼付することができ、書類の中央部に貼付することも可能なので、書類の隅に貼付する必要が無く、付箋が剥がれ落ちるのを防止できる。
【０００７】
請求項２に係る付箋は、透明なシートの接着領域に注意喚起表示を設けたので、必要な情報の上に、シートの接着領域を位置させて貼付することで、その接着領域の注意喚起表示に喚起されて、当該情報を一層意識的に視認せしめることができる。
請求項３に係る付箋は、注意喚起表示を、接着領域と非接着領域との境界を示すものとして構成したので、非接着領域Ｓが認識しやすくなると共に、必要情報の範囲を示すことも可能となる。
【０００８】
請求項４に係る付箋は、シートを、硬質な合成樹脂製の部材によって構成したので、書類の栞として利用することが可能となり、必要情報へのアクセスを円滑にすることができる。
請求項５に係る付箋は、非接着領域を、接着領域から突出させたので、その突出部を摘み上げることで、容易に付箋を取り外すことができる。また、書類の端から非接着領域を突出させた状態で貼付することができるので、多くの頁数からなる書類に使用した場合、必要情報へのアクセスを円滑にすることができる。
【図面の簡単な説明】
【０００９】
【図１】本発明の第１実施形態に係る付箋を示し、（ａ）は表面から見た平面図、（ｂ）は裏面から見た底面図、（ｃ）は正面図、（ｄ）は右側面図、（ｅ）は左側面図である。
【図２】上記付箋の構成を示し、（ａ）は平面図、（ｂ）はシートの厚み方向に拡大したＡ−Ａ線矢視拡大断面図、（ｃ）は同Ｂ−Ｂ線矢視拡大断面図である。
【図３】上記付箋の使用状態を示す説明図である。
【図４】注意喚起表示の変形態様を示し、（ａ）は平面図、（ｂ）はシートの厚み方向に拡大したＣ−Ｃ線矢視拡大断面図である。
【図５】上記付箋の第１変形例を示し、（ａ）は平面図、（ｂ）はシートの厚み方向に拡大した正面図である。
【発明を実施するための形態】
【００１０】
本発明の好適な実施形態を、添付図面に基づいて説明する。なお、実施形態は以下の形態に限定されるものではなく、本発明の課題を解決し得るものであれば、他の態様も可能である。
【００１１】
図１は、本発明の第１実施形態に係る付箋を示し、（ａ）は表面から見た平面図、（ｂ）は裏面から見た底面図、（ｃ）は正面図、（ｄ）は右側面図、（ｅ）は左側面図である。なお、背面図は正面図と対象に表れる。
この付箋１は、書類等に貼付して使用されるもので、図２に示すように、透明なシート２の裏面の一部に接着剤を塗布した接着部３を設け、その接着部３によって区画付けられた接着領域Ｓに、貼付した部位に記載された情報に対する注意を喚起するための注意喚起表示を設けたものである。
【００１２】
即ち、この付箋１に使用されるシート２は、透明で硬質なプラスチック素材からなるもので、裏面の一部（即ち、接着部３）には、再剥離性粘着材からなる接着剤が塗布され、その上に、剥離紙４が貼り付けられている。
シート２は、把手を有する虫眼鏡のように、一部に突出部５を有する形状となっており、虫眼鏡の把手部に相当する突出部５は、裏面に接着剤が塗布されない非接着領域Ｈとなっている。
【００１３】
接着部３によって区画された領域Ｓは、不透明色からなる丸枠６で囲まれており、その丸枠６が注意喚起表示となって、見る者に対し、その丸枠６で囲まれた透明部７に注意力を生じさせる。
この丸枠６で囲まれた透明部７を虫眼鏡のレンズとして表現し、フレームに相当する丸枠６から把手に相当する突出部５を不透明色で彩色することによって、注意喚起表示をデザイン化させることができる。そして、突出部５に「ＬＯＯＫ！」等の注意喚起のためのメッセージ８を記載することで、注意喚起機能を一層発揮させることができる。
【００１４】
この付箋１の使用する際には、先ず、付箋１の裏面の剥離紙４を外し、図３に示すように、透明部７を透して所望の情報が視認できるような部位に接着領域Ｓを位置させ、付箋１を貼付する。
貼付された部位に記載された情報は、透明部７を透して視認できる上に、その周囲の丸枠６によって、当該情報に対する注意が喚起され、貼付対象物に記載された雑多な情報の中から、必要な情報の位置を迅速に把握することができるようになる。また、丸枠６によって必要情報の範囲を明確化させることもできる。
【００１５】
この付箋１は、硬質な合成樹脂製の部材により構成されているので、書籍などに貼付することで、栞として利用することができ、必要情報が記載されている頁へのアクセスを迅速にすることができる。
また、注意喚起表示を丸枠６としたことによって、必要情報の範囲を示すことができる上に、この丸枠６を、接着領域Ｓと非接着領域Ｈとの境界を示す位置に設けたので、付箋１を取り外す際に、接着されていない部位が認識しやすくなる。
【００１６】
さらに、この非接着領域Ｈを突出部５としたことによって、突出部５を容易に摘み上げることができ、付箋１を迅速に取り外すことが可能となる。また、多くの頁数からなる書類に使用する際に、必要情報のある頁へのアクセスを容易にすることができる。
なお、本実施形態では、丸枠６の部位のみに接着部３を設けたが、透明部７を含む領域、又は透明部７のみに接着剤を塗布してもよい。
【００１７】
また、本実施形態に係る付箋は、接着部３の上に剥離紙４を設けたが、複数の付箋を剥離用台紙に貼付した状態で提供してもよい。また、複数の付箋を積層し、束の状態で提供してもよい。
注意喚起表示には、文字、図形又は模様などの任意の表示を使用することができる。
この場合、図４に示すように、注意喚起表示としての矢印１０と共に、筆記用具で記入することが可能な材質からなるメッセージ記載部１１を設けてもよい。
【００１８】
また、接着領域Ｓに注意喚起表示を設けず、非接着領域Ｈに注意喚起表示を設けることで、透明部７を透して視認される情報に、注意が喚起されるようにしてもよい。
また、図５に示す付箋のように、透明な長尺状のシート２’の長手側の一側部に、注意喚起表示としての波線状のアンダーライン１２を設けても良い。アンダーライン１２に沿って必要な情報が位置するように付箋１’を貼付することで、透明部７’を透して視認される情報に注意が喚起される。
さらに、付箋のシートは、彩色された透明シートでもよいし、半透明のシートでもよい。
【産業上の利用可能性】
【００１９】
本発明は、事務用、家庭用、その他あらゆる産業分野で使用される付箋に適用することができる。
【符号の説明】
【００２０】
１・・・付箋
２・・・シート
３・・・接着部
４・・・剥離紙
５・・・突出部
６・・・丸枠（注意喚起表示）
７・・・透明部
８・・・メッセージ（注意喚起表示）
１０・・・矢印（注意喚起表示）
１１・・・メッセージ記載部
１２・・・アンダーライン（注意喚起表示）
【図１】
2010173117.tif 000003
【図２】
2010173117.tif 000004
【図３】
2010173117.tif 000005
【図４】
2010173117.tif 000006
【図５】
2010173117.tif 000007